(57)【特許請求の範囲】
【請求項１】
複数の全体形状と複数のサイズの組み合わせに応じた複数のズボンであるゲージズボンをユーザが着用し、前記ユーザが自分に適したズボンの全体形状とサイズの組み合わせを選択する第１の選択工程と、
前記第１の選択工程において選択された全体形状とサイズの組み合わせに応じたゲージズボンを前記ユーザが着用した状態で、店員又は前記ユーザが、前記ユーザに適した裾の高さに応じた股下の長さを採寸する採寸工程と、
前記ユーザが、ボタン及びリベットの少なくとも１つを含むパーツ種別の各々に関し、当該パーツ種別の複数の選択肢に応じた実物のパーツの中から選択したパーツを、ズボンのうち腰回りの領域のみの外観を模したシートであり本物のズボンに用いられる生地と糸で作られたシートである雛形シートに対しあてがって、当該パーツが取り付けられた状態のズボンの外観を確認しながら、自分に適したパーツを選択する第２の選択工程と、
前記第２の選択工程と並行して、店員が、前記第１の選択工程において選択された全体形状とサイズの組み合わせに応じたズボンの裾の高さを、前記採寸工程において採寸された股下の長さに応じて調整する調整工程と、
前記調整工程において裾の高さが調整されたズボンに対し、前記ユーザが、前記第２の選択工程において選択したパーツを取り付ける取付工程と
を備えるズボンの製造方法。
【請求項２】
複数の全体形状と複数のサイズの組み合わせに応じた複数のズボンであるゲージズボンをユーザが着用し、前記ユーザが自分に適したズボンの全体形状とサイズの組み合わせを選択する選択工程と、
前記選択工程において選択された全体形状とサイズの組み合わせに応じたゲージズボンを前記ユーザが着用した状態で、店員又は前記ユーザが、前記ユーザに適した裾の高さに応じた股下の長さを採寸する第１の採寸工程と、
ウェスト、ワタリ、ヒザ巾、裾巾及び股上のうちの少なくとも１つを含む採寸対象の各々に関し、前記選択工程において選択されたゲージズボンを前記ユーザが着用した状態で、前記ユーザが、当該ゲージズボンの当該採寸対象の長さと前記ユーザに適した当該採寸対象の長さとの差分の長さを採寸し、前記ユーザが、採寸した差分の長さをフォームに記入する第２の採寸工程と、
前記採寸対象の各々に関し前記第２の採寸工程において採寸され前記フォームに記入された差分の長さに基づき、職人が、前記選択工程において選択されたゲージズボンに応じたパターンを修正する修正工程と、
職人が、前記修正工程において修正されたパターンに従い生地を裁断する裁断工程と、
職人が、前記裁断工程において裁断された生地を縫製する縫製工程と、
過去に実行された前記修正工程において用いられた全体形状とサイズと前記採寸対象の各々に関する差分の長さとを説明変数とし、当該修正工程において修正されたパターンの形状を目的変数とする教師データを蓄積する蓄積工程と、
前記蓄積工程において蓄積された教師データを用いて学習モデルを構築する構築工程と
を備え、
前記修正工程において、前記学習モデルに対し、前記選択工程において選択された全体形状とサイズと、前記採寸対象の各々に関し前記第２の採寸工程において採寸された差分の長さとを説明変数として入力し、前記学習モデルから目的変数として出力されるパターンの形状を修正されたパターンとして取得する
ズボンの製造方法。
【発明の詳細な説明】
【技術分野】
【０００１】
本発明はズボンの製造方法に関する。
【背景技術】
【０００２】
衣服を着用するユーザの好みに応じてパーツのデザイン等を変更したカスタムメイドと呼ばれる衣服がある。カスタムメイドの衣服を製造する方法として、古くから、職人がユーザから好みのパーツのデザイン等を聞き取り、聞き取った情報に基づき衣服を製造する方法が知られている。
【０００３】
上記の方法による場合、職人がユーザ毎に好みのパーツのデザイン等を聞き取る必要があるため、一般的に高額となる。そこで、カスタムメイドの衣服を安価に製造する方法が提案されている。例えば、特許文献１には、インターネット上で提示される衣服の様々なパーツの選択肢の中からユーザが好みのものを選択し、店舗がユーザにより選択されたパーツを組み合わせた衣服を製造することで、低コストでカスタムメイドの衣服を製造する仕組みが提案されている。
【先行技術文献】
【特許文献】
【０００４】
【特許文献１】特開２００３−３１６９７７号公報
【発明の概要】
【発明が解決しようとする課題】
【０００５】
一般的にジーンズ又はジーパンと呼ばれる、あや織りの綿布で作られたズボン（以下、「ジーンズ」という）のユーザには、カスタムメイドにより自分好みのデザインのジーンズを作って着用したいと思う人が多くいる。
【０００６】
例えば、新しくズボンを買いたいと思うユーザが、特許文献１に記載の仕組みを用いて自分好みのデザインのズボンを注文する場合、ユーザにはそのズボンの履き心地を確認する方法がない。また、ズボン全体の形状（以下、「スタイル」という）によって、履き心地のよい裾の高さは異なる。従って、特許文献１に記載の仕組みにおいて、ユーザが採寸し入力した股下の長さを用いて製造されたズボンの裾の高さが履き心地のよい高さとならない場合がある。
【０００７】
上記の背景に鑑み、本発明は、ユーザの好みに応じたデザインの履き心地のよいズボンを製造する手段を提供する。
【課題を解決するための手段】
【０００８】
上述した課題を解決するために、本発明は、複数の全体形状と複数のサイズの組み合わせに応じた複数のズボンであるゲージズボンをユーザが着用し、前記ユーザが自分に適したズボンの全体形状とサイズの組み合わせを選択する第１の選択工程と、前記第１の選択工程において選択された全体形状とサイズの組み合わせに応じたゲージズボンを前記ユーザが着用した状態で、店員又は前記ユーザが、前記ユーザに適した裾の高さに応じた股下の長さを採寸する採寸工程と、前記ユーザが、ボタン及びリベットの少なくとも１つを含むパーツ種別の各々に関し、当該パーツ種別の複数の選択肢に応じた実物のパーツの中から選択したパーツを、ズボンのうち腰回りの領域のみの外観を模したシートであり本物のズボンに用いられる生地と糸で作られたシートである雛形シートに対しあてがって、当該パーツが取り付けられた状態のズボンの外観を確認しながら、自分に適したパーツを選択する第２の選択工程と、前記調整工程と並行して、店員が、前記第１の選択工程において選択された全体形状とサイズの組み合わせに応じたズボンの裾の高さを、前記採寸工程において採寸された股下の長さに応じて調整する調整工程と、前記調整工程において裾の高さが調整されたズボンに対し、前記ユーザが、前記第２の選択工程において選択したパーツを取り付ける取付工程とを備えるズボンの製造方法を第１の態様として提案する。
【０００９】
第１の態様のズボンの製造方法によれば、ユーザにとって履き心地のよい全体形状、サイズ及び裾の高さのズボンが、ユーザが来店した日に製造される。
【００１８】
また、本発明は、複数の全体形状と複数のサイズの組み合わせに応じた複数のズボンであるゲージズボンをユーザが着用し、前記ユーザが自分に適したズボンの全体形状とサイズの組み合わせを選択する選択工程と、前記選択工程において選択された全体形状とサイズの組み合わせに応じたゲージズボンを前記ユーザが着用した状態で、店員又は前記ユーザが、前記ユーザに適した裾の高さに応じた股下の長さを採寸する第１の採寸工程と、ウェスト、ワタリ、ヒザ巾、裾巾及び股上のうちの少なくとも１つを含む採寸対象の各々に関し、前記選択工程において選択されたゲージズボンを前記ユーザが着用した状態で、前記ユーザが、当該ゲージズボンの当該採寸対象の長さと前記ユーザに適した当該採寸対象の長さとの差分の長さを採寸し、前記ユーザが、採寸した差分の長さをフォームに記入する第２の採寸工程と、前記採寸対象の各々に関し前記第２の採寸工程において採寸され前記フォームに記入された差分の長さに基づき、職人が、前記選択工程において選択されたゲージズボンに応じたパターンを修正する修正工程と、職人が、前記修正工程において修正されたパターンに従い生地を裁断する裁断工程と、職人が、前記裁断工程において裁断された生地を縫製する縫製工程と、過去に実行された前記修正工程において用いられた全体形状とサイズと前記採寸対象の各々に関する差分の長さとを説明変数とし、当該修正工程において修正されたパターンの形状を目的変数とする教師データを蓄積する蓄積工程と、前記蓄積工程において蓄積された教師データを用いて学習モデルを構築する構築工程とを備え、前記修正工程において、前記学習モデルに対し、前記選択工程において選択された全体形状とサイズと、前記採寸対象の各々に関し前記第２の採寸工程において採寸された差分の長さとを説明変数として入力し、前記学習モデルから目的変数として出力されるパターンの形状を修正されたパターンとして取得するズボンの製造方法を第２の態様として提案する。
【００１９】
第２の態様のズボンの製造方法によれば、ユーザの好みにあったデザインであり、履き心地がよいズボンが店員の手間をあまり要さずに製造される。また、パターンを修正する人の手間が軽減される。
【図面の簡単な説明】
【００２６】
【図１Ａ】第１実施形態に係るジーンズ製造方法のフローを示した図。
【図１Ｂ】第１実施形態に係るジーンズ製造方法のフローを示した図。
【図２】第１実施形態に係るフォームを例示した図。
【図３】第２実施形態に係るジーンズ製造方法のフローを示した図。
【図４】第２実施形態に係る雛形シートの写真。
【図５】一変形例に係るフォームを例示した図。
【図６】一変形例に係る革パッチのサンプル帳の写真。
【図７】一変形例に係るボタン及びリベットのサンプル帳の写真。
【発明を実施するための形態】
【００２７】
［第１実施形態］
以下に本発明の第１実施形態に係るジーンズ製造方法Ｍを説明する。ジーンズ製造方法Ｍは、ユーザの好みに応じたデザインのジーンズ（ズボンの一例）を製造する方法である。図１Ａ及び図１Ｂ（以下、これらを「図１」と総称する）はジーンズ製造方法Ｍのフローを示した図である。以下、図１のフローに従いジーンズ製造方法Ｍを説明する。
【００２８】
ジーンズ製造方法Ｍにおいては、様々な全体形状（以下、「スタイル」という）と様々なサイズとの組み合わせに応じたサンプルのジーンズ（ゲージズボンの一例。以下、「ゲージジーンズ」という）がユーザの来店前に予め準備されている。ユーザは、店舗に訪れると、まず、多数準備されているゲージジーンズの中から、自分の体型及び好みに適合すると思われるゲージジーンズを選択し、実際に着用しながら、履き心地がよく自分好みのデザインのゲージジーンズを１つ、選択する（ステップＳ１０１）。
【００２９】
続いて、店員は、ステップＳ１０１において選択され、ユーザに着用されているゲージジーンズの裾を折り返して、ユーザに適する裾の高さを決定し、決定した裾の高さに応じた股下の長さを採寸する（ステップＳ１０２）。
【００３０】
続いて、店員は、ステップＳ１０１においてユーザにより選択されたゲージジーンズのスタイル及びサイズと、ステップＳ１０２において採寸した股下の長さを専用のフォームＦに記入する（ステップＳ１０３）。図２はフォームＦを例示した図である。
【００３１】
続いて、店員はユーザに、パターン修正を伴うカスタムを希望するか否かを訊ねる。ユーザがパターン修正を伴うカスタムを希望する場合（ステップＳ１０４；Ｙｅｓ）、店員は、ステップＳ１０１において選択され、ユーザに着用されているゲージジーンズの、ウェスト、ワタリ、ヒザ巾、裾巾及び股上（採寸対象の一例）の各々に関し、ゲージジーンズの長さとユーザに適する長さとの差分の長さを採寸する（ステップＳ１０５）。例えば、ウェストに関して、店員はユーザが着用しているゲージジーンズの状態を観察し、また、ユーザからウェスト周りの履き心地を聞き取って、ユーザに適するウェストの長さが、ゲージジーンズのウェストよりどれだけ長いか、もしくは短いか、を特定する。他の採寸対象に関しても同様に、ユーザに適する長さが、ゲージジーンズよりどれだけ長いか、もしくは短いか、を特定する。
【００３２】
店員は、ステップＳ１０５において採寸した各採寸対象に関する差分の長さをフォームＦに記入する（ステップＳ１０６）。
【００３３】
続いて、店員は、パターン修正を伴うその他の項目の各々に関するカスタムの要否と、カスタムを要する場合はその内容をユーザから聞き取る（ステップＳ１０７）。ステップＳ１０７において聞き取りの対象となる項目は、ファスナー、ボタンフライ及び尾錠である。店員は、ステップＳ１０７において聞き取った内容をフォームＦに記入する（ステップＳ１０８）。
【００３４】
ユーザがパターン修正を伴うカスタムを希望しない場合（ステップＳ１０４；Ｎｏ）、または、ステップＳ１０８が完了した場合、店員は続いて、パターン修正を伴わない項目の各々に関するカスタムの要否と、カスタムを要する場合はその内容をユーザから聞き取る（ステップＳ１０９）。ステップＳ１０９において聞き取りの対象となる項目には、生地、ボタン、リベット、ステッチ、革パッチ、ポケット布、ポケットステッチ、洗い加工、イニシャル刺繍が含まれる。これらの項目のうち、ボタン、リベット、革パッチはジーンズに取り付けられるパーツ種別の例である。ユーザは、例えば店舗に陳列されているパーツ等のサンプルを手にとってそれらのデザインを確認しながら、自分が好むデザインのパーツ等を選択する。店員は、そのように選択されたパーツ等をユーザから聞き取る。店員は、ステップＳ１０９において聞き取った内容をフォームＦに記入する（ステップＳ１１０）。
【００３５】
ステップＳ１１０までの工程は店舗において行われる。一方、以下に説明するステップＳ１１１以降の工程は工場において行われる。工場でジーンズの製造を行う職人は、店舗で店員により各種情報が記入されたフォームＦを受け取り、フォームＦに記入されている情報に従い、ジーンズの製造を行う。
【００３６】
パターン修正を伴うカスタムが必要な場合（ステップＳ１１１；Ｙｅｓ）、職人はフォームＦに記入されている情報を用いて、ユーザにより選択されたゲージジーンズに応じたパターンを修正する（ステップＳ１１２）。以下、ステップＳ１１２において修正された後のパターンを修正パターンという。
【００３７】
続いて、職人は、ステップＳ１１１において作成された修正パターンに従い、生地を裁断する（ステップＳ１１３）。
【００３８】
パターン修正を伴うカスタムが必要でない場合（ステップＳ１１１；Ｎｏ）、職人はフォームＦに記入されている情報を用いて、ユーザにより選択されたゲージジーンズに応じたパターンに従い、生地を裁断する（ステップＳ１１４）。
【００３９】
ステップＳ１１３またはステップＳ１１４が完了すると、続いて職人は、フォームＦに記入されている情報を用いて、裁断された生地を縫製する（ステップＳ１１５）。なお、股下の長さに応じた裾の高さ調整もステップＳ１１５において行われる。続いて、職人は、ステップＳ１１５における縫製により完成したジーンズの本体に対し、フォームＦに記入されている情報を用いて、各種パーツを取り付ける（ステップＳ１１６）。洗い加工が不要な場合（ステップＳ１１７；Ｎｏ）、ステップＳ１１６の完了によりジーンズが完成する。
【００４０】
フォームＦの「Washed」欄にチェックが付いている場合、洗い加工が必要なため（ステップＳ１１７；Ｙｅｓ）、職人はチェックが付いている選択肢に応じた洗い加工を行う（ステップＳ１１８）。これにより、ジーンズが完成する。
【００４１】
上記のように製造されるカスタムジーンズは、実際にユーザが着用して選択したゲージジーンズのスタイルとサイズであり、また、そのゲージジーンズをユーザが着用した状態で採寸された股下の長さであるため、ユーザの好みにあったデザインであり、履き心地がよい。
【００４２】
［第２実施形態］
以下に本発明の第２実施形態に係るジーンズ製造方法Ｎを説明する。ジーンズ製造方法Ｎは、第１実施形態に係るジーンズ製造方法Ｍと同様に、ユーザの好みに応じたデザインのジーンズを製造する方法である。ただし、ジーンズ製造方法Ｍはカスタムの項目が多岐にわたるため、通常、ユーザが来店した日にカスタムジーンズの製造を完了し、ユーザにカスタムジーンズを手渡しすることは困難である。これに対し、ジーンズ製造方法Ｎによれば、ユーザは来店した日にカスタムジーンズを持ち帰ることができる。図３はジーンズ製造方法Ｎのフローを示した図である。以下、図３のフローに従いジーンズ製造方法Ｎを説明する。
【００４３】
ユーザは、店舗に訪れると、ジーンズ製造方法Ｍにおける場合と同様に、多数のゲージジーンズの中から、実際に着用しながら、履き心地がよく自分好みのデザインのゲージジーンズを１つ、選択する（ステップＳ２０１）。
【００４４】
続いて、店員は、ステップＳ２０１において選択され、ユーザに着用されているゲージジーンズの裾を折り返して、ユーザに適する裾の高さを決定し、決定した裾の高さに応じた股下の長さを採寸する（ステップＳ２０２）。
【００４５】
続いて、ユーザは、ジーンズの外観を模したシートである雛形シートＳを用いて、様々なデザインの革パッチの中から好みのものを選択する（ステップＳ２０３）。図４は、雛形シートＳの写真である。なお、図４の写真の奥側に写っているものは、ステップＳ２０４においてユーザが選択するリベットである。雛形シートＳは、ジーンズのうち、ボタン、リベット及び革パッチが取り付けられる部分を含む領域、すなわち、腰周りの領域の外観を模したシートであり、本物のジーンズに用いられる生地と糸で作られている。なお、図４には雛形シートＳの表面が写っているが、雛形シートＳの裏面にも本物のジーンズの外観を模したステッチ等が施されている。ユーザは雛形シートＳの裏面に革パッチをあてがって、その革パッチが取り付けられた状態のジーンズの外観を確認しながら、革パッチの選択を行う。
【００４６】
続いて、ユーザは、雛形シートＳを用いて、ボタン及びリベットに関し、様々なデザインのものから好みのものを選択する（ステップＳ２０４）。すなわち、ユーザは雛形シートＳの表面にボタン及びリベットをあてがって、それらのボタン及びリベットが取り付けられた状態のジーンズの外観を確認しながら、ボタン及びリベットの選択を行う。
【００４７】
ステップＳ２０４と並行して、店員はステップＳ２０１においてユーザにより選択されたゲージジーンズのスタイル及びサイズのジーンズに対し、ステップＳ２０２において採寸された股下の長さに応じた裾の高さの調整と、ステップＳ２０３において選択された革パッチの取り付けを行う（ステップＳ２０５）。
【００４８】
ステップＳ２０４及びステップＳ２０５が完了すると、ユーザは、ステップＳ２０５において裾の高さが調整され、革パッチが取り付けられたジーンズに、ステップＳ２０４において選択したボタンとリベットを取り付ける（ステップＳ２０６）。このように、ジーンズ製造方法Ｎにおいては、ユーザがジーンズに対するボタンとリベットの取り付けを体験することで、そのジーンズに対する愛着を高めることができる。
【００４９】
ステップＳ２０６の完了によって、カスタムジーンズが完成する。ユーザは、そのように完成したカスタムジーンズを持ち帰ることができる。
【００５０】
［変形例］
上述した実施形態は様々に変形することができる。以下にそれらの変形の例を示す。なお、上述した実施形態および以下に示す変形例は適宜組み合わされてもよい。
【００５１】
（１）上述の第１実施形態において、フォームＦへの情報の記入は店員が行うものとしたが、フォームＦへの情報の記入の一部または全てをユーザが行ってもよい。また、上述の第１実施形態において、股下の採寸と、ウェスト等の採寸対象のゲージジーンズの長さとユーザに合う長さとの差分の長さの採寸は店員が行うものとしたが、これらの採寸の一部または全てをユーザが行ってもよい。
【００５２】
（２）上述の第１実施形態において、ゲージジーンズのパターンに修正を行い、修正パターンを作成する作業は職人が行うものとしたが、修正パターンの生成が人手によらず装置により実行されてもよい。その場合、学習モデルが用いられてもよい。
【００５３】
学習モデルを用いてコンピュータが修正パターンを生成する手順の例を以下に説明する。まず、過去に実行されたステップＳ１１２において職人により作成された多数の修正パターンの各々に関し、スタイル、サイズ、股下の長さ、ウェストの差分の長さ、ワタリの差分の長さ、ヒザ巾の差分の長さ、裾巾の差分の長さ、股上の差分の長さ、ファスナーの情報、ボタンフライの情報、及び、尾錠の情報を説明変数とし、職人が作成した修正パターンの形状を目的変数とする教師データを蓄積する。
【００５４】
学習モデルの構築に必要となる数以上の教師データが蓄積されると、蓄積した教師データを用いて、既知の手法によって、学習モデルを構築する。
【００５５】
続いて、新たに実行されるジーンズ製造方法ＭのステップＳ１１２において、コンピュータはフォームＦに記入されているスタイル、サイズ、股下の長さ、ウェストの差分の長さ、ワタリの差分の長さ、ヒザ巾の差分の長さ、裾巾の差分の長さ、股上の差分の長さ、ファスナーの情報、ボタンフライの情報、及び、尾錠の情報を読み取り、読み取ったそれらの情報を説明変数として学習モデルに入力し、学習モデルから出力される目的変数が示す修正パターンの形状を示す線図をプリンタに出力する。職人は、プリンタにより印刷される修正パターンに従い、ステップＳ１１３の裁断を行う。
【００５６】
（３）上述の第１実施形態において、パターン（または修正パターン）に従い生地を裁断する作業（ステップＳ１１３及びステップＳ１１４）は職人が行うものとしたが、これらの作業をコンピュータにより制御される裁断装置が人手を借りずに行ってもよい。上述した学習モデルにより修正パターンの生成が行われる場合、コンピュータが修正パターンの形状を示す線図をプリンタに出力する代わりに、修正パターンの形状を示すデータを裁断装置に出力し、そのデータが示す形状に生地を裁断するように裁断装置に指示を行ってもよい。
【００５７】
（４）上述の第１実施形態において用いられるフォームＦは紙媒体に印刷されたものが想定されている。フォームＦの媒体は紙に限られない。例えば、タブレット型のパーソナルコンピュータが備えるタッチスクリーンがフォームＦの媒体として用いられてもよい。その場合、図２に示すような画像がタッチスクリーンに表示され、店員等はタッチスクリーンにタッチ操作を行うことで、フォームＦへの各種情報の入力を行う。
【００５８】
（５）上述の第２実施形態においては、ユーザが選択したボタンとリベットをユーザが取り付けるものとしたが、ボタンとリベットの取付作業を工場等にいる職人が行ってもよい。その場合、ユーザが選択したボタン、リベット等の情報を正確に職人に伝達するために、専用のフォームへの情報の記入が行われることが望ましい。図５は、この変形例において用いられるフォームＧの例である。
【００５９】
この変形例において、職人の手元には、例えば図６に示す写真に写っている革パッチのサンプル帳や、図７に示す写真に写っているボタン及びリベットのサンプル帳が準備されていてもよい。職人は、フォームＧに記入されているボタン、リベット、革パッチの情報に応じたサンプルをサンプル帳から探して、ジーンズに取り付けるべきパーツの識別を行う。
【００６０】
（６）第１実施形態及び第２実施形態において、製造対象のズボンはジーンズであるものとしたが、本発明が適用されるズボンの種別はジーンズに限られない。例えば、たて糸がインディゴで染色されていない綿布で製造されたズボンは狭義のジーンズには分類されないが、本発明はそのような狭義のジーンズではないズボンの製造に適用されてもよい。
【要約】
【課題】ユーザの好みに応じたデザインの履き心地のよいズボンを製造する手段を提供する。
【解決手段】予め、様々なスタイルとサイズの組み合わせに応じたジーンズの実物サンプルであるゲージジーンズを準備しておく。ユーザはゲージジーンズを実際に着用して、履き心地を確かめることで、自分に適したジーンズのスタイルとサイズを選択する。ユーザが選択したスタイルとサイズのゲージジーンズがユーザに着用された状態で、ユーザに適した裾の高さに応じた股下の長さが採寸される。ユーザにより選択されたゲージジーンズのスタイル及びサイズと、採寸された股下の長さはフォームに記入される。ジーンズの製造者は、フォームに記入された情報に従い、ユーザにより選択されたスタイル及びサイズのジーンズの裾の高さを調整する。
【選択図】図１Ａ【図１Ａ】
0006841477.tif 000002
【図１Ｂ】
0006841477.tif 000003
【図２】
0006841477.tif 000004
【図３】
0006841477.tif 000005
【図４】
0006841477.tif 000006
【図５】
0006841477.tif 000007
【図６】
0006841477.tif 000008
【図７】
0006841477.tif 000009